【手続補正書】
【提出日】平成18年4月14日(2006.4.14)
【手続補正１】
【補正対象書類名】明細書
【補正対象項目名】特許請求の範囲
【補正方法】変更
【補正の内容】
【特許請求の範囲】
【請求項１】  紫外線を照射することにより硬化するインクを吐出するノズルを形成してなる記録ヘッドと、インクを硬化させる紫外線を照射する光照射装置とを有し、前記ノズルから吐出したインクを記録媒体に着弾させた後、前記記録媒体に前記光照射装置により紫外線を照射することでインクを硬化させて、画像を形成するインクジェットプリンタにおいて、前記光照射装置と前記記録ヘッドとの間に、前記光照射装置から紫外線を照射することにより発生する熱を遮断する断熱部材を設けたことを特徴とするインクジェットプリンタ。
【請求項２】  前記断熱部材は、前記記録ヘッドの前記光照射装置と近接する面に設けたことを特徴とする請求項１に記載のインクジェットプリンタ。
【請求項３】  前記記録ヘッドは、前記記録媒体の上方を前記記録媒体の幅方向に往復移動しながら前記記録媒体に前記インクを吐出することにより画像を形成するシリアルヘッド方式であることを特徴とする請求項１または請求項２に記載のインクジェットプリンタ。
【請求項４】  前記記録ヘッドは、前記記録媒体の全幅にわたって前記記録媒体の上方に設けられており、搬送されてくる前記記録媒体に対して前記インクを吐出することにより画像を形成するラインヘッド方式であることを特徴とする請求項１または請求項２に記載のインクジェットプリンタ。
【請求項５】  前記光照射装置は、前記記録ヘッドの上方に前記記録媒体の全幅が照射範囲となるように設けられていることを特徴とする請求項１〜４のいずれか一項に記載のインクジェットプリンタ。
【請求項６】  前記インクは、カチオン重合系のインクであることを特徴とする請求項１〜５のいずれか一項に記載のインクジェットプリンタ。
【手続補正２】
【補正対象書類名】明細書
【補正対象項目名】００１１
【補正方法】変更
【補正の内容】
【００１１】
【課題を解決するための手段】
上記課題を解決するために本発明によるインクジェットプリンタは、紫外線を照射することにより硬化するインクを吐出するノズルを形成してなる記録ヘッドと、インクを硬化させる紫外線を照射する光照射装置とを有し、前記ノズルから吐出したインクを記録媒体に着弾させた後、前記記録媒体に前記光照射装置により紫外線を照射することでインクを硬化させて、画像を形成するインクジェットプリンタにおいて、前記光照射装置と前記記録ヘッドとの間に、前記光照射装置から紫外線を照射することにより発生する熱を遮断する断熱部材を設けることを特徴とする。
【手続補正３】
【補正対象書類名】明細書
【補正対象項目名】００１２
【補正方法】変更
【補正の内容】
【００１２】
請求項１に記載の発明によれば、紫外線を照射する光照射装置と記録ヘッドとの間に断熱部材が設けられているため、この断熱部材により光照射装置から紫外線を照射することにより発生する熱が遮断され、記録ヘッドに伝わる熱が低減される。
【手続補正４】
【補正対象書類名】明細書
【補正対象項目名】００１４
【補正方法】変更
【補正の内容】
【００１４】
請求項２に記載の発明によれば、記録ヘッドの光照射装置と近接する面には断熱部材が設けられているため、この断熱部材により光照射装置から紫外線を照射することにより発生する熱が遮断され、記録ヘッドに伝わる熱が低減される。
【手続補正５】
【補正対象書類名】明細書
【補正対象項目名】００２０
【補正方法】変更
【補正の内容】
【００２０】
請求項５に記載の発明によれば、記録ヘッドの上方からインクが着弾した記録媒体に対して、光照射装置により紫外線が照射されるが、記録ヘッドと光照射装置との間に断熱部材が設けられているため、記録ヘッドに伝わる熱が低減される。
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】変更
【補正の内容】
【００２３】
請求項６に記載の発明は、請求項１〜５のいずれか一項に記載のインクジェットプリンタにおいて、前記インクは、カチオン重合系のインクであることを特徴とする。
【手続補正９】
【補正対象書類名】明細書
【補正対象項目名】００２４
【補正方法】変更
【補正の内容】
【００２４】
請求項６に記載の発明によれば、カチオン重合系インクは酸素阻害作用をうけることがないため、低照度の紫外線で良好に硬化する。
【手続補正１０】
【補正対象書類名】明細書
【補正対象項目名】００６７
【補正方法】変更
【補正の内容】
【００６７】
【発明の効果】
請求項１に記載の発明によれば、紫外線を照射する光照射装置と前記記録ヘッドとの間に断熱部材が設けられており、この断熱部材により光照射装置から紫外線を照射することにより発生する熱が遮断され、記録ヘッドに伝わる熱が低減されるため、簡易な装置構成により、装置部品の形状の変形を防止することができ、インクの増粘あるいは硬化を防止するとともに安定した速度でインクを吐出させて良好な画像を得ることができる。
【手続補正１１】
【補正対象書類名】明細書
【補正対象項目名】００６８
【補正方法】変更
【補正の内容】
【００６８】
請求項２に記載の発明によれば、記録ヘッドの光照射装置に近接する面に断熱材が設けられており、この断熱部材により光照射装置から紫外線を照射することにより発生する熱が遮断され、記録ヘッドに伝わる熱が低減されるため、簡易な装置構成により、装置部品の形状の変形を防止することができ、インクの増粘あるいは硬化を防止するとともに安定した速度でインクを吐出させて良好な画像を得ることができる。
【手続補正１２】
【補正対象書類名】明細書
【補正対象項目名】００６９
【補正方法】変更
【補正の内容】
【００６９】
請求項３に記載の発明によれば、シリアルヘッド方式の記録ヘッドにおいても、断熱部材により光照射装置から紫外線を照射することにより発生する熱が遮断され、記録ヘッドに伝わる熱が低減されるため、簡易な装置構成により、装置部品の形状の変形を防止することができ、インクの増粘あるいは硬化を防止するとともに安定した速度でインクを吐出させて良好な画像を得ることができる。
【手続補正１３】
【補正対象書類名】明細書
【補正対象項目名】００７０
【補正方法】変更
【補正の内容】
【００７０】
請求項４に記載の発明によれば、ラインヘッド方式の記録ヘッドにおいても、断熱部材により光照射装置から紫外線を照射することにより発生する熱が遮断され、記録ヘッドに伝わる熱が低減されるため、簡易な装置構成により、装置部品の形状の変形を防止することができ、インクの増粘あるいは硬化を防止するとともに安定した速度でインクを吐出させて良好な画像を得ることができる。
【手続補正１４】
【補正対象書類名】明細書
【補正対象項目名】００７１
【補正方法】変更
【補正の内容】
【００７１】
請求項５に記載の発明によれば、光照射装置が記録ヘッドの上方に設けられている場合においても、断熱部材により光照射装置から紫外線を照射することにより発生する熱が遮断され、記録ヘッドに伝わる熱が低減されるため、簡易な装置構成により、装置部品の形状の変形を防止することができ、インクの増粘あるいは硬化を防止するとともに安定した速度でインクを吐出させて良好な画像を得ることができる。
【手続補正１５】
【補正対象書類名】明細書
【補正対象項目名】００７２
【補正方法】削除
【補正の内容】
【手続補正１６】
【補正対象書類名】明細書
【補正対象項目名】００７３
【補正方法】変更
【補正の内容】
【００７３】
請求項６に記載の発明によれば、より低照度の紫外線によりインクを硬化させて良好な画像を得ることができる。